(57)【特許請求の範囲】
【請求項１】
複数の点灯色を表示可能な表示部を棚位置毎に備えた書棚を制御する制御サーバと、
利用者が予約資料の保管された棚位置を検索するための予約資料検索端末と、接続された、
前記予約資料端末から要求された予約資料の保管された棚位置を検索し、前記書棚において前記棚位置の表示部に点灯色を点灯させるための予約資料検索システムであって、
利用者の識別情報と前記利用者が予約した資料の識別情報を関連付けて記憶する利用者／予約資料記憶手段と、
資料の識別情報と前記資料の保管された棚位置の識別情報を関連付けて記憶する保管資料／棚位置記憶手段と、
各々の棚位置における表示部に点灯可能な第１〜第ｎの点灯色の点灯状況を記憶する点灯状況記憶手段と、
前記予約資料端末から利用者の識別情報が指定された検索要求を受信する検索要求受信手段と、
前記検索要求受信手段が受信した利用者の識別情報をキーに、前記利用者／予約資料記憶手段を検索して、前記利用者が予約した資料の識別情報を特定する予約資料特定手段と、
前記予約資料特定手段が特定した資料の識別情報をキーに、前記保管資料／棚位置記憶手段を検索して、前記資料の保管された棚位置の識別情報を特定する棚位置特定手段と、
前記棚位置特定手段が特定した棚位置の識別情報に対応する前記点灯状況記憶手段を参照して、点灯可能な一の点灯色を選択する選択手段と、
前記選択手段の選択した点灯色を前記棚位置特定手段が特定した棚位置の表示部に表示させるコマンドを前記制御サーバに送信する点灯色表示コマンド送信手段と、
前記選択手段の選択した点灯色を前記利用者に通知するために前記予約資料検索端末に送信する点灯色送信手段と、を備え、
前記選択手段は、
前記第１〜第ｎの点灯色のうち前記点灯状況記憶手段にて点灯不可とされている点灯色以外の中から、所定の点灯色を１つ選択するとともに、当該選択した点灯色の点灯状況を前記点灯状況記憶手段にて点灯不可に更新することを特徴とする予約資料検索システム。
【請求項２】
前記選択手段は、
前記選択した点灯色について前記点灯状況記憶手段にて点灯状況を点灯不可に更新してから所定の時間が経過すると、前記点灯状況を点灯可能に更新することを特徴とする請求項１記載の予約資料検索システム。
【請求項３】
前記書棚には資料に付されたＩＣタグに記憶された前記資料の識別情報を読み取るリーダが備えられていて、
前記リーダにより、前記書棚に置かれた資料の識別情報が読み取られ、当該資料の識別情報と、当該資料の置かれた棚位置の識別情報とが前記制御サーバへ送信された場合に、前記制御サーバから、前記資料の識別情報と前記棚位置の識別情報を受信する識別情報受信手段を備え、
前記保管資料／棚位置記憶手段は、
前記識別情報受信手段が受信した前記資料の識別情報と前記棚位置の識別情報とを関連付けて記憶することを特徴とする請求項１又は２記載の予約資料検索システム。
【請求項４】
資料の識別情報と当該資料のタイトルを関連付けて記憶する資料タイトル記憶手段と、
前記予約資料特定手段が特定した資料の識別情報をキーに、前記資料タイトル記憶手段を検索して、前記利用者が予約した資料のタイトルを特定する予約資料タイトル特定手段と、
前記点灯色送信手段は、
前記選択手段の選択した点灯色に加えて、前記予約資料タイトル特定手段の特定した前記資料のタイトル、及び、前記棚位置特定手段の特定した前記資料が保管されている棚位置を前記予約資料検索端末に送信し、
前記予約資料検索端末では、前記利用者に通知するために、前記点灯色、前記予約資料タイトル、前記棚位置が出力されることを特徴とする請求項１から３のいずれか１項に記載の予約資料検索システム。
【請求項５】
前記書棚には資料に付されたＩＣタグに記憶された前記資料の識別情報を読み取るリーダが備えられていて、
前記選択手段の選択した点灯色と、前記予約資料特定手段が特定した資料の識別情報とを関連付けて記憶する点灯色／資料記憶手段と、
前記リーダにより、前記書棚から持ち出された資料の識別情報が読み取られ、当該資料の識別情報と、当該資料が持ち出された棚位置の識別情報とが前記制御サーバへ送信された場合に、前記制御サーバから、前記資料の識別情報と前記棚位置の識別情報を受信する識別情報受信手段と、を備え、
前記選択手段は、
前記識別情報受信手段が受信した前記資料の識別情報に対応する点灯色を前記点灯色／資料記憶手段を参照して特定し、前記識別情報受信手段が受信した前記棚位置の識別情報に対応する点灯状況記憶手段から、前記特定した点灯色の点灯状況を点灯可能に更新することを特徴とする請求項１記載の予約資料検索システム。
【請求項６】
複数の点灯色を表示可能な表示部を棚位置毎に備えた書棚を制御する制御サーバと、
利用者が予約資料の保管された棚位置を検索するための予約資料検索端末と、接続された、
前記予約資料端末から要求された予約資料の保管された棚位置を検索し、前記書棚において前記棚位置の表示部に点灯色を点灯させるための予約資料検索システムにおける予約資料の検索方法であって、
前記予約資料端末から利用者の識別情報が指定された検索要求を受信する検索要求受信ステップと、
前記検索要求受信ステップで受信した利用者の識別情報をキーに、利用者の識別情報と前記利用者が予約した資料の識別情報を関連付けて記憶する利用者／予約資料記憶手段を検索して、前記利用者が予約した資料の識別情報を特定する予約資料特定ステップと、
前記予約資料特定ステップで特定した資料の識別情報をキーに、資料の識別情報と前記資料の保管された棚位置の識別情報を関連付けて記憶する保管資料／棚位置記憶手段を検索して、前記資料の保管された棚位置の識別情報を特定する棚位置特定ステップと、
前記棚位置特定ステップで特定した棚位置に対応する各々の棚位置における表示部に点灯可能な第１〜第ｎの点灯色の点灯状況を記憶する点灯状況記憶手段を参照して、点灯可能な一の点灯色を選択する選択ステップと、
前記選択ステップで選択した点灯色を前記棚位置特定ステップで特定した棚位置の表示部に表示させるコマンドを前記制御サーバに送信する点灯色表示コマンド送信ステップと、
前記選択ステップで選択した点灯色を前記利用者に通知するために前記予約資料検索端末に送信する点灯色送信ステップと、を備え、
前記選択ステップでは、
前記第１〜第ｎの点灯色のうち前記点灯状況記憶手段にて点灯不可とされている点灯色以外の中から、所定の点灯色を１つ選択するとともに、当該選択した点灯色の点灯状況を前記点灯状況記憶手段にて点灯不可に更新することを特徴とする予約資料の検索方法。
【請求項７】
前記選択ステップで選択した点灯色について、前記点灯状況記憶手段にて点灯状況を点灯不可に更新してから所定の時間が経過すると、前記点灯状況を点灯可能に更新することを特徴とする請求項６記載の予約資料の検索方法。
【請求項８】
利用者が予約資料の保管された棚位置を検索するために用いる予約資料検索端末と接続され、複数の点灯色を表示可能な表示部を棚位置毎に備えた書棚を制御する制御サーバに、前記予約資料端末から要求された予約資料の保管された棚位置を検索し、前記書棚において前記棚位置の表示部に点灯色を点灯させる処理を実行させるプログラムであって、
前記制御サーバに、
前記予約資料端末から利用者の識別情報が指定された検索要求を受信する検索要求受信処理と、
前記検索要求受信処理で受信した利用者の識別情報をキーに、利用者の識別情報と前記利用者が予約した資料の識別情報を関連付けて記憶する利用者／予約資料記憶手段を検索して、前記利用者が予約した資料の識別情報を特定する予約資料特定処理と、
前記予約資料特定処理で特定した資料の識別情報をキーに、資料の識別情報と前記資料の保管された棚位置の識別情報を関連付けて記憶する保管資料／棚位置記憶手段を検索して、前記資料の保管された棚位置の識別情報を特定する棚位置特定処理と、
前記棚位置特定処理で特定した棚位置に対応する各々の棚位置における表示部に点灯可能な第１〜第ｎの点灯色の点灯状況を記憶する点灯状況記憶手段を参照して、点灯可能な一の点灯色を選択する選択処理と、
前記選択処理で選択した点灯色を前記棚位置特定処理で特定した棚位置の表示部に表示させるコマンドを前記制御サーバに送信する点灯色表示コマンド送信処理と、
前記選択処理で選択した点灯色を前記利用者に通知するために前記予約資料検索端末に送信する点灯色送信処理と、を実行させ、
前記選択処理では、
前記第１〜第ｎの点灯色のうち前記点灯状況記憶手段にて点灯不可とされている点灯色以外の中から、所定の点灯色を１つ選択するとともに、当該選択した点灯色の点灯状況を前記点灯状況記憶手段にて点灯不可に更新する処理を前記制御サーバに実行させることを特徴とするプログラム。
【請求項９】
前記選択処理で選択した点灯色について、前記点灯状況記憶手段にて点灯状況を点灯不可に更新してから所定の時間が経過すると、前記点灯状況を点灯可能に更新する処理を前記制御サーバに実行させることを特徴とする請求項８記載のプログラム。
【発明の詳細な説明】
【技術分野】
【０００１】
本発明は、図書館等で予約した予約資料を検索する際に、予約資料の置かれている棚を速やかに見つける技術に関する。
【背景技術】
【０００２】
図書館では、膨大な蔵書の管理を効率化するために、ＩＣタグを用いたＲＦＩＤシステムが導入されるようになっている。図書にＩＣタグを付して図書の識別が可能になるとともに、書棚にＩＣタグのリーダ／ライタのアンテナを配置することで、書棚にある図書のＩＣタグから情報を読み取って、各々の図書の収納されている場所を自動的に把握することも可能になる。
【０００３】
一方、図書館での図書の貸出予約について、Ｗｅｂを用いた予約システムが広く利用されるようになっている。
【０００４】
ここで、商品情報読出装置は、個々の商品に貼付され商品に関する情報を記憶するＲＦＩＤタグに記憶されている情報を読み出して、読み出した情報と商品が収納されている商品陳列棚を示す位置情報とを出力し、商品情報管理装置は、店舗内の商品の管理を行い、商品登録手段は、管理者が未登録商品の登録操作を行うため等に使用され、商品登録手段は、商品情報読出装置が出力した商品に関する情報と商品情報管理装置が管理している情報とにもとづいて未登録商品を検出し、未登録商品の登録要求を商品情報管理装置に対して行うことで商品の在庫数や在庫状況などの在庫管理に止まらず商品管理を自動的に簡単に行う技術が提案されている（例えば、特許文献１参照）。
【特許文献１】特開２００４−３５９３６３号公報
【発明の開示】
【発明が解決しようとする課題】
【０００５】
しかしながら、上述の関連技術では、Ｗｅｂを用いた予約システムでは、予約された図書は予約者が来館するまで確保しておくことが必要になる。予約された図書の確保は、図書館の担当者が書棚なから予約された図書を取り出して、貸出窓口の内側等に設けた予約用の専用棚に保管しておくことが一般的であるが、予約の量が多くなると専用棚を設置するスペースが嵩んで窓口の作業スペースに制約が生じるとともに、予約者が訪れた際には、担当者が予約された図書を探し出す手間が増すという問題が生じている。
【０００６】
本発明は、以上のような課題を解決するためになされたもので、窓口の担当者の作業負担が軽減されるとともに、予約資料保管の専用棚を設置することによる窓口の内側の作業スペースに対する制約も回避することが可能になる予約資料検索システム、予約資料の検索方法およびプログラムを提供することを目的とする。
【課題を解決するための手段】
【０００７】
本発明では、予約資料（図書）を保管する予約者自身が資料を取り出すことができる書棚を公開スペースに設置し、書棚には予約資料の保管された棚位置をＬＥＤ等の点灯色で表示する表示部を設けることによって、予約者がＬＥＤの点灯色を手掛かりに速やかに予約資料の保管場所を把握し、自ら予約資料を取り出して貸出窓口に持ち込む。これによって、窓口の担当者の作業負担が軽減されるとともに、予約資料保管の専用棚を設置することによる窓口の内側の作業スペースに対する制約も回避することが可能になる。
【０００８】
本発明は、資料に付されたＩＣタグに記憶された前記資料の識別情報を読み取るリーダと、複数の点灯色を表示可能な表示部を棚位置毎に備えた書棚を制御する制御サーバと、資料を予約した利用者が予約資料の保管された棚位置を検索するための予約資料検索端末と接続された、前記予約資料端末から要求された予約資料の保管された棚位置を検索し、前記書棚において前記棚位置の表示部に点灯色を点灯させるための予約資料検索システムである。
【０００９】
前記予約資料検索システムには、利用者の識別情報と前記利用者が予約した資料の識別情報を関連付けて記憶する第１の記憶手段と、資料の識別情報と前記資料の保管された棚位置の識別情報を関連付けて記憶する第２の記憶手段と、各々の棚位置における表示部に点灯可能な第１〜第ｎの点灯色の点灯状況を記憶する第３の記憶手段と、前記予約資料端末から利用者の識別情報が指定された検索要求を受信する受信手段と、前記受信手段が受信した利用者の識別情報をキーに、前記第１の記憶手段を検索して、前記利用者が予約した資料の識別情報を特定する第１の特定手段と、前記第１の特定手段が特定した資料の識別情報をキーに、前記第２の記憶手段を検索して、前記資料の保管された棚位置の識別情報を特定する第２の特定手段と、前記第２の特定手段が特定した棚位置に対応する第３の記憶手段を参照して、点灯可能な一の点灯色を選択する選択手段と、前記選択手段の選択した点灯色を前記第２の特定手段が特定した棚位置の表示部に表示させるコマンドを前記制御サーバに送信する第１の送信手段と、前記選択手段の選択した点灯色を前記予約資料検索端末に送信する第２の送信手段と、を備える。この構成によって、予約資料の保管された棚位置に一の点灯色を表示させ、どの点灯色が表示されているかを利用者に伝達することができる。
【００１０】
前記予約資料検索システムには、前記選択手段の選択した点灯色について、前記第３の記憶手段に記憶された点灯状況を点灯不可に更新する第１の更新手段と、前記第１の更新手段が点灯状況を点灯不可に更新してから所定の時間が経過すると、前記点灯状況を点灯可能に更新する第２の更新手段と、を備えることとしてもよい。このように構成すると、資料を取り出すのに十分な一定の時間が経過すると、点灯が消されてその点灯色をその後に利用することが可能になる。
【００１１】
前記予約資料検索システムには、前記書棚には資料に付されたＩＣタグに記憶された前記資料の識別情報を読み取るリーダが備えられていて、前記選択手段の選択した点灯色について、前記第３の記憶手段に記憶された点灯状況を点灯不可に更新し、前記第１の特定手段が特定した資料の識別情報を前記点灯色と関連付けて記憶させる第１の更新手段と、前記制御サーバから、前記リーダが書棚から持ち出されたことを読み取った資料の識別情報と前記資料の保管された棚位置の識別情報を受信する第２の受信手段と、前記第２の受信手段が受信した棚位置の識別情報に対応する第３の記憶手段から、前記第２の受信手段が受信した資料の識別番号に対応する点灯色を特定し、前記点灯色の点灯状況を点灯可能に更新する第２の更新手段と、を備えることとしてもよい。このように構成すると、ＩＣタグによって資料が書棚から取り出されたことを検出すると、点灯が消されてその点灯色をその後に利用することが可能になる。
【００１２】
前記予約資料検索システムには、資料の識別情報と前記資料のタイトルを関連付けて記憶する第４の記憶手段と、前記第１の特定手段が特定した資料の識別情報をキーに、前記第４の記憶手段を検索して、前記資料のタイトルを特定する第３の特定手段と、を備えていて、前記第２の送信手段は、前記第３の特定手段の特定した前記資料のタイトルを前記予約資料検索端末に送信することとしてもよい。このように構成すると、利用者には資料のタイトルが表示され、予約した資料と間違いないかを確認することが可能になる。
【発明の効果】
【００１３】
本発明によれば、窓口の担当者の作業負担が軽減されるとともに、予約資料保管の専用棚を設置することによる窓口の内側の作業スペースに対する制約も回避することが可能になる。
【発明を実施するための最良の形態】
【００１４】
以下、本発明の実施の形態の構成について図面を参照して詳細に説明する。尚、以下の実施の形態では本発明を図書館における資料（図書）の貸し出しに適用する場合について説明するが、本発明はかかる実施の形態に限られるものではなく、図書館以外における物品の貸し出し等に適用するものであってもよい。
【００１５】
本発明を実施するための構成は、図１に示したとおりである。
予約資料検索端末１０は、図書館の公開スペースに設置される、予約資料の保管された棚位置を検索するための端末である。利用者カード１１を挿入すると利用者の識別情報（利用者番号）が読み取られ、業務サーバ２０での検索結果がレシート１２に出力される。尚、利用者の識別情報を取得する方法は利用者カード１１の読み取りに限定されず、例えば、利用者番号を利用者が入力することとしてもよい。検索結果の出力方法はレシートへの出力に限定されず、予約資料検索端末１０のディスプレイに表示することとしてもよい。
【００１６】
業務サーバ２０は、ＣＰＵ、メインメモリ、ＨＤＤを備えたコンピュータであって、資料マスタ登録部２１、予約資料検索部２２、点灯色制御部２３を含んで構成されている。資料マスタ登録部２１、予約資料検索部２２、点灯色制御部２３はいずれも機能的に特定され、各々の機能を実行するためのプログラムがコンピュータのＨＤＤからメインメモリに読み出され、ＣＰＵで演算処理が行われる。業務データベース３０は、業務サーバ２０での演算処理に必要なデータを格納するデータベースであって書誌マスタ３１、資料マスタ３２、予約マスタ３３を含んで構成されている。
【００１７】
棚６０、棚７０は、図書館の公開スペースに設置される予約資料を保管するための書棚であって、所定の範囲で区切られた棚位置毎に、それぞれＬＥＤ６１とアンテナ６２、ＬＥＤ７１とアンテナ７２が備えられている。尚、棚や棚位置の数は、本実施の形態に限定されるものではない。
【００１８】
ＬＥＤ６１、ＬＥＤ７１は、検索された予約資料が保管された棚位置を知らせる際に点灯される。アンテナ６２、アンテナ７２は、棚６０、棚７０の所定のブロック（棚位置）毎に配置され、保管されている資料に付されたＩＣタグから電波を受信し、リーダ／ライタ５０で受信した情報を読み取って、各々の資料の保管されている棚位置を把握する。
【００１９】
コントロールサーバ４０は、ＣＰＵ、メインメモリ、ＨＤＤを備えたコンピュータであって、アンテナ６２、アンテナ７２とリーダ／ライタ５０で把握した各々の資料の保管されている棚位置の業務サーバ２０への送信、業務サーバ２０から送信されたＬＥＤを点灯させるコマンドの中継などの機能を担っている。
【００２０】
図２は、業務データベース３０の書誌マスタ３１の一例である。図３は、業務データベース３０の資料マスタ３２の一例である。図４は、業務データベース３０の予約マスタ３３の一例である。図５は、業務サーバ２０の点灯色制御部２３に記憶される棚位置毎の点灯色管理テーブルの一例である。図６は、予約資料検索端末１０から出力されるレシート１２の一例である。
【００２１】
図１の構成を前提に、図７のフローチャートに従って、本発明の実施の形態の動作について詳細に説明する。尚、以下のフローチャートに示した処理は、業務サーバ２０の予約資料検索部２２によって行われるものである。
【００２２】
まず、Ｗｅｂの予約システム等で資料の貸し出しを予約した利用者が図書館を訪れて、予約資料の保管場所を確認するために予約資料検索端末１０で検索を要求する。利用者は、自己の利用者番号が記録された利用者カード１１を、予約資料検索端末１０に挿入する。予約資料検索端末１０は、利用者カード１１から利用者毎に付された識別番号である利用者番号を読み取って、業務サーバ２０に利用者番号を付した検索要求を送信する。尚、利用者番号を取得する方法は利用者カード１１からの読み取りに限定されず、例えば、利用者番号を利用者が入力することとしてもよい。
【００２３】
業務サーバ２０では、利用者番号が付された検索要求を受け付ける（Ｓ１）。続いて、検索要求に付された利用者番号をキーに、予約マスタ３３を検索して、利用者番号に対応する資料番号を特定する（Ｓ２）。資料番号は、資料（図書）１部枚に採番された資料の識別番号で、同じタイトルの資料が複数存在する場合には、各々の資料毎に異なる資料番号が付されている。図４は予約マスタ３３の一例であるが、Ｗｅｂの予約システム等で資料の貸し出しを予約すると、利用者番号に貸出用に確保される資料の資料番号が関連付けて格納される。
【００２４】
次に、特定された資料番号をキーに、資料マスタ３２を検索して、資料番号に対応する棚番号と、タイトル番号を特定する（Ｓ３）。棚番号は、図書館の公開スペースに設置された予約資料を保管するための書棚のうち、資料が保管されている棚位置を特定するために用いられる番号で、ＬＥＤ６１（７１）とアンテナ６２（７２）毎に区切られるブロック毎に採番されている。タイトル番号は、資料のタイトル毎に付された番号である。
【００２５】
図３は資料マスタ３２の一例であるが、予約資料を保管する書棚に資料が置かれると、アンテナ６２（７２）とリーダ／ライタ５０で資料のＩＣタグから資料番号を読み取って、コントロールサーバ４０経由で業務サーバ２０に資料番号と資料が置かれた棚番号を送信し、資料マスタ３２には対応する資料番号に棚番号が関連付けて格納される（この動作は、資料マスタ登録部２１によって行われる）。また、資料番号に関連付けてタイトル番号も格納されるが、これらを関連付ける方法は特に限定されるものではない（例えば、資料番号とタイトル番号を関連付けたテーブルを設けてもよいし、ＩＣタグにタイトル番号を記憶させておいて、ＩＣタグから読み取ったタイトル番号を送信することとしてもよい）。
【００２６】
特定されたタイトル番号については、書誌マスタ３１を検索して、タイトル番号に対応するタイトル名を特定する（Ｓ４）。このタイトル名は、利用者の確認のために、予約資料検索端末１０に送信されるものである。
【００２７】
続いて、書棚の予約資料が保管された位置を点灯させるために、点灯色制御部２３が起動される。点灯色制御部２４には、図５の例のように棚番号毎に複数の点灯色の点灯状況に関する情報が記憶されている。点灯色は、１人の利用者について１色が使用され、その利用者が予約した資料が保管された棚位置を示すために、書棚（６０、７０）に配置されたＬＥＤ（６１、７１）に所定の色が点灯する。
【００２８】
複数の利用者が本システムを同時に利用できるように、点灯色は複数設けられているが、その数は特に限定されるものではない。使用されている点灯色には、図５の例のように点灯開始時間を記録すれば、資料の取り出しに十分な所定の時間を設定しておいてその時間が経過した後に使用開始時間の記録をクリアすることとすれば（又は、最初に所定の時間を記録してカウントダウンさせることとすれば）、点灯可能な点灯色を制御することが可能になる。又は、点灯不可となった点灯色にはフラグを立て、点灯色毎に対応する資料の資料番号を関連付けて記録しておき、該資料が持ち出されたことをアンテナ６２（７２）、リーダ／ライタ５０、コントロールサーバ４０経由で検出した場合にフラグを外すこととしても、点灯可能な点灯色を制御することが可能である。
【００２９】
ここで、Ｓ３で特定された棚位置の点灯状況を確認し、優先度の高い色から順に点灯色の使用が可能かを参照する（Ｓ５）。使用可能な色を優先順位の順に検索し（Ｓ６〜Ｓ７）、点灯可能な色が特定されると、該点灯色を割当て、割当てられた時間が書き込まれて、該点灯色は他の利用者が使用できない状態となる（Ｓ８）。
【００３０】
図５の例であれば、青、白が使用中であるため、赤が点灯色として割当てられる。尚、点灯色の制御は、点灯色を割当てた時間の書込みという方法に限定されるものではなく、先に説明したとおり、残り時間をカウントダウンする方法によってもよいし、資料番号を記憶させて資料番号に対応する資料の取り出しを監視する方法によってもよい。
【００３１】
また、割当てられた点灯色は、棚番号とともにコントロールサーバ４０に送信され、棚番号により特定される棚位置に設けられたＬＥＤ（６１、７１）に、割当てられた点灯色が点灯される。
【００３２】
続いて、Ｓ４で特定されたタイトル名、Ｓ３で特定された棚番号、Ｓ６〜８で割当てられた点灯色に関する情報が予約資料検索端末１０に送信される（Ｓ９）。予約資料検索端末１０でこれらの情報を受信すると、ディスプレイへの表示や、レシート１２の出力が行われる。
【００３３】
図６はレシート１２の例であるが、利用者はタイトル名によって予約した資料と相違ないかを確認し、棚番号と点灯色を参考にして、予約資料の保管場所を探すことが可能になる。
【００３４】
尚、１人の利用者が同時に複数の資料を予約している場合もあるが、その場合は予約マスタ３３では複数の資料番号が特定され、資料マスタ３２では各々の資料に対応する棚位置とタイトル番号を特定する。点灯色制御部２３は一の点灯色を割当てて、複数の棚位置において、割当てられた同一の色が同時に点灯されることになる。レシート１２には、一の点灯色と、複数のタイトル名が表示されることになる。
【００３５】
なお、上述する各実施の形態は、本発明の好適な実施の形態であり、本発明の要旨を逸脱しない範囲内において種々変更実施が可能である。例えば、各サーバ等の機能を実現するためのプログラムを各装置に読込ませて実行することにより各装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【図面の簡単な説明】
【００３６】
【図１】本発明の実施の形態に係るシステム構成を示す図である。
【図２】本発明の実施の形態に係る業務データベース３０の書誌マスタ３１の一例である。
【図３】本発明の実施の形態に係る業務データベース３０の資料マスタ３２の一例である。
【図４】本発明の実施の形態に係る業務データベース３０の予約マスタ３３の一例である。
【図５】本発明の実施の形態に係る業務サーバ２０の点灯色制御部２３に記憶される棚位置毎の点灯色管理テーブルの一例である。
【図６】本発明の実施の形態に係る予約資料検索端末１０から出力されるレシート１２の一例である。
【図７】本発明の実施の形態に係る動作を示すフローチャートである。
【符号の説明】
【００３７】
１０    予約資料検索端末
１１    利用者カード
１２    レシート
２０    業務サーバ
２１    資料マスタ登録部
２２    予約資料検索部
２３    点灯色制御部
３０    業務データベース
３１    書誌マスタ
３２    資料マスタ
３３    予約マスタ
４０    コントロールサーバ
５０    リーダ／ライタ
６０、７０    棚
６１、７１    ＬＥＤ
６２、７２    アンテナ
【図１】
0004840341.tif 000002
【図２】
0004840341.tif 000003
【図３】
0004840341.tif 000004
【図４】
0004840341.tif 000005
【図５】
0004840341.tif 000006
【図６】
0004840341.tif 000007
【図７】
0004840341.tif 000008